(57)【要約】【課題】再生装置において、製造コストと消費電力を抑制すると共に、ユーザによる使い勝手を良くする。【解決手段】ハードディスクレコーダは、コンテンツ再生開始から監視時間が経過した時に（Ｓ３でＹＥＳ）、警告メッセージを表示する（Ｓ４）。そして、リモコンによる再生停止操作がされた場合（Ｓ１０でＹＥＳ）、再生を停止し（Ｓ１１）、スタンバイ監視処理（Ｓ１２）を行う。一方、監視時間が経過した時からさらに無操作監視時間が経過するまでの間に、リモコン装置が操作されないとき（Ｓ５でＮＯ）、コンテンツの再生停止し（Ｓ６）レジューム情報を生成して記憶し（Ｓ７）、制御用マイコンの周辺回路を電源オフするスタンバイモードに移行する（Ｓ８）。スタンバイ監視処理は、無操作監視時間が経過するまでにリモコン操作がない場合、スタンバイモードに移行する処理である。【選択図】図３
2010267343.tif 000002
【特許請求の範囲】
【請求項１】
動画像のコンテンツデータを再生する再生手段と、
ユーザによって操作され、各種動作指示を行うための操作手段と、
装置各部の制御を行う制御手段とを備える再生装置において、
前記再生手段によって再生中のコンテンツデータを再生停止したときの再生停止位置を示すレジューム情報を生成するレジューム情報生成手段と、
各種メッセージをユーザに報知する報知手段と、
コンテンツデータの再生時間を監視するための監視時間と、ユーザによる前記操作手段の操作の有無を監視するための無操作監視時間とを記憶する時間記憶手段とをさらに備え、
前記制御手段は、
前記再生手段によるコンテンツデータの再生中に、コンテンツデータの再生開始から前記監視時間が経過した時に、前記報知手段を用いてユーザに、自装置を、周辺回路の電源をオフした状態で待機する動作モードであるスタンバイモードに移行させる旨の警告メッセージを報知し、
前記監視時間が経過した時からさらに前記無操作監視時間が経過するまでの間に、ユーザによる前記操作手段の操作がなされない場合、前記再生手段によるコンテンツデータの再生を停止すると共に、前記レジューム情報生成手段を用いて、このコンテンツデータのレジューム情報を生成して、生成されたレジューム情報を前記記憶手段に記憶した後、自装置を前記スタンバイモードに移行させることを特徴とする再生装置。
【請求項２】
前記制御手段は、コンテンツデータの再生を停止しているときに、前記無操作監視時間が経過するまでの間に、ユーザによる前記操作手段の操作がなされない場合、自装置を前記スタンバイモードに移行させることを特徴とする請求項１に記載の再生装置。
【発明の詳細な説明】
【技術分野】
【０００１】
本発明は、消費電力を低減可能な再生装置に関する。
【背景技術】
【０００２】
近年、ＡＶ機器の消費電力を抑制したい要望が多く、特許文献１には、ユーザによって利用される時間と利用されない時間とを自動的に検出して、利用されない時間であると判断したときに、自機器を待機状態に移行させることにより消費電力を抑制することができるハードディスクレコーダが開示されている。しかしながら、この種の機器では、例えばコンテンツを再生状態から待機状態に移行させた後、再度、再生状態に復帰させたときに、コンテンツが最初から再生されるため、ユーザにとって使い勝手が悪い。
【０００３】
また、特許文献２には、ハードディスクが停止状態（待機状態）のときに機器の前方を撮像してユーザを検出し、この検出の結果、ユーザを検出できない状況が所定の時間続いた場合に、自機器を、ハードディスクが安定して回転する状態（スタンバイ状態）にするハードディスクレコーダが開示されている。このハードディスクレコーダによれば、ユーザによる操作があったときに直ぐに機器を実行可能な状態にすることができる。しかしながら、この種の機器では、機器前方のユーザを検出するための撮像装置が必要となるため、製造コストを抑制することができない。
【先行技術文献】
【特許文献】
【０００４】
【特許文献１】特開２０００−１２３４６０号公報
【特許文献２】特開２００７−２１４６５１号公報
【発明の概要】
【発明が解決しようとする課題】
【０００５】
本発明は、上述した問題点を解決するためになされたものであり、製造コストを抑制し、消費電力を抑制すると共に、ユーザによる使い勝手が良い再生装置を提供することを目的とする。
【課題を解決するための手段】
【０００６】
上記目的を達成するために請求項１の発明は、動画像のコンテンツデータを再生する再生手段と、ユーザによって操作され、各種動作指示を行うための操作手段と、装置各部の制御を行う制御手段とを備える再生装置において、前記再生手段によって再生中のコンテンツデータを再生停止したときの再生停止位置を示すレジューム情報を生成するレジューム情報生成手段と、各種メッセージをユーザに報知する報知手段と、コンテンツデータの再生時間を監視するための監視時間と、ユーザによる前記操作手段の操作の有無を監視するための無操作監視時間とを記憶する時間記憶手段とをさらに備え、前記制御手段は、前記再生手段によるコンテンツデータの再生中に、コンテンツデータの再生開始から前記監視時間が経過した時に、前記報知手段を用いてユーザに、自装置を、周辺回路の電源をオフした状態で待機する動作モードであるスタンバイモードに移行させる旨の警告メッセージを報知し、前記監視時間が経過した時からさらに前記無操作監視時間が経過するまでの間に、ユーザによる前記操作手段の操作がなされない場合、前記再生手段によるコンテンツデータの再生を停止すると共に、前記レジューム情報生成手段を用いて、このコンテンツデータのレジューム情報を生成して、生成されたレジューム情報を前記記憶手段に記憶した後、自装置を前記スタンバイモードに移行させるものである。
【０００７】
請求項２に記載の発明は、請求項１に記載の再生装置において、前記制御手段は、コンテンツデータの再生を停止しているときに、前記無操作監視時間が経過するまでの間に、ユーザによる前記操作手段の操作がなされない場合、自装置を前記スタンバイモードに移行させるものである。
【発明の効果】
【０００８】
本発明によれば、コンテンツデータの再生中に、コンテンツデータの再生開始から監視時間が経過した時に、ユーザにスタンバイモードに移行させる旨の警告メッセージを報知し、さらに無操作監視時間が経過するまでの間に、ユーザによる操作手段の操作がなされない場合、自装置をスタンバイモードに移行させる。そのため、例えば、ユーザが装置の電源をオフにすることを忘れた場合であっても自動的にスタンバイモードに移行するので、装置の消費電力を抑制することができる。
【０００９】
また、レジューム情報を生成して、生成されたレジューム情報を記憶手段に記憶した後、自装置をスタンバイモードに移行させるので、スタンバイモードからコンテンツの再生を行うモードに復帰した場合に、前回の再生位置からコンテンツデータを再生することができる。従って、ユーザによる使い勝手が良い。また、従来と異なり、装置の前方に位置するユーザを検出するための装置を備える必要がないため、製造コストを抑制することができる。
【図面の簡単な説明】
【００１０】
【図１】本発明の一実施形態に係るハードディスクレコーダの構成を示すブロック図。
【図２】上記ハードディスクレコーダのオートパワーオフ機能設定画面の一例を示す説明図。
【図３】上記ハードディスクレコーダのコンテンツデータ再生処理の手順を示すフローチャート。
【図４】上記ハードディスクレコーダの警告メッセージの一例を示す説明図。
【図５】上記コンテンツ再生動作におけるスタンバイ監視処理の手順を示すフローチャート。
【発明を実施するための形態】
【００１１】
本発明の一実施形態に係るハードディスクレコーダ（再生装置）について、図１を参照して説明する。図１は、ハードディスクレコーダ１の内部構成を示すブロック図である。ハードディスクレコーダ１は、放送局から放送されるテレビジョン（以下、ＴＶという）番組等のコンテンツデータの録画再生を行うことができる。ハードディスクレコーダ１によって再生されたコンテンツデータの映像信号及び音声信号は、伝送ケーブル３を介してＴＶ受像機２に出力される。ＴＶ受像機２は、例えば液晶テレビやプラズマテレビ等の表示装置であり、映像を表示するディスプレイ２１と、音声を出力するスピーカ２２とを有する。
【００１２】
ハードディスクレコーダ１は、放送局から放送されるＴＶ放送信号に基づくＴＶ番組を受信するチューナ１１と、リモコン装置（操作手段）４から送信されるリモコン信号を受信するリモコン信号受信部１２とを備える。また、ハードディスクレコーダ１は、筐体外部に露出するように設けられたＨＤＭＩ端子等から構成される端子部１３と、各種情報が記憶されるメモリ（時間記憶手段）１４と、ＴＶ番組等のコンテンツデータを記録するハードディスク（以下、ＨＤＤという）１５と、アクセス部１６と、装置各部の制御を行う制御用マイコン（制御手段）１７とをさらに備える。
【００１３】
リモコン装置４は、ユーザによって操作される複数の操作ボタン（図示せず）を有し、ユーザによる操作ボタンの操作に応じたリモコン信号をハードディスクレコーダ１に送信する。ユーザは、リモコン装置４の操作ボタンを操作することにより、ハードディスクレコーダ１に対してコンテンツデータの再生や、コンテンツデータの再生停止等の動作の指示を行う。
【００１４】
メモリ１４は、制御用マイコン１７を動作させるためのプログラム１４ａと、再生時間監視モード設定情報１４ｂと、監視時間情報１４ｃと、スタンバイ監視モード設定情報１４ｄと、無操作監視時間情報１４ｅと、レジューム情報１４ｆとを記憶する。
【００１５】
再生時間監視モード設定情報１４ｂは、後述する再生時間監視モードのオン／オフ設定を記憶する。監視時間情報１４ｃは、コンテンツデータの再生時間を監視するための閾値時間を記憶する。スタンバイ監視モード設定情報１４ｄは、後述するスタンバイ監視モードのオン／オフ設定を記憶する。無操作監視時間情報１４ｅは、ユーザによるリモコン装置４の操作ボタンが操作されたか否かを監視するための閾値時間を記憶する。レジューム情報１４ｆは、再生中のコンテンツデータを再生停止したときに、その再生停止位置を示すレジューム情報を記憶する。
【００１６】
アクセス部１６は、ＨＤＤ１５に対してＴＶ番組等のコンテンツデータの読み出しや書き込みを行う。制御用マイコン１７は、再生処理部（再生手段）１７ａと、録画処理部１７ｂと、レジューム情報生成部（レジューム情報生成手段）１７ｃと、警告表示部（報知手段）１７ｄとを有する。制御用マイコン１７は、コンテンツデータを再生する再生モードや、コンテンツデータをＨＤＤ１５に記録する録画モードや、再生時間監視モードや、スタンバイ監視モードや、スタンバイモード等の複数の動作モードを有する。
【００１７】
再生時間監視モードは、予め設定された監視時間が経過したか否かを監視する動作を行うモードである。スタンバイ監視モードは、予め設定された無操作監視時間が経過するまでの間にリモコン装置４の操作ボタンが操作された否かを監視する動作を行うモードである。なお、以下、再生時間監視モードと、スタンバイ監視モードとを含むモードの総称をオートパワーオフモードと呼ぶ。
【００１８】
スタンバイモードは、リモコン装置４から送信されるリモコン信号を受信可能としつつ、制御用マイコン１７の周辺回路の電源をオフした状態とする動作を行うモードである。スタンバイモードにおいて電源をオフされた周辺回路は、ユーザがリモコン装置４の操作ボタンを操作することによって電源がオンされる。
【００１９】
再生処理部１７ａは、チューナ１１によって受信されたＴＶ番組のコンテンツデータや、アクセス部１６を介してＨＤＤ１５から読み出したコンテンツデータの再生を行い、再生されたコンテンツデータの映像信号及び音声信号をＴＶ受像機２に出力する。録画処理部１７ｂは、チューナ１１から受信されたＴＶ番組のコンテンツデータをＨＤＤ１５に記録する。
【００２０】
レジューム情報生成部１７ｃは、再生処理部１７ａによって再生中であるＨＤＤ１５から読み出したコンテンツデータを再生停止したときの再生停止位置を示すレジューム情報１４ｆを生成し、生成したレジューム情報１４ｆをメモリ１４内に記憶する。
【００２１】
警告表示部１７ｄは、各種メッセージを表示するための映像信号をＴＶ受像機２に出力する。ＴＶ受像機２は、警告表示部１７ｄから出力された警告メッセージをディスプレイ２１上に表示する。
【００２２】
次に、オートパワーオフモードの設定画面について、図２を参照して説明する。図２は、ＴＶ受像機２のディスプレイ２１に表示されるオートパワーオフモード（つまり、再生時間監視モードと、スタンバイ監視モード）の各種設定画面を示す。これらの各種設定は、ユーザによりリモコン装置４の操作ボタンが操作されることにより行われる。
【００２３】
本設定画面には、再生時間監視モードのＯＮ／ＯＦＦ設定項目３１と、再生時間監視モードがオン設定にされた場合の監視時間を設定するための監視時間設定バー３２とが表示される。監視時間は、ユーザがリモコン装置４を操作してカーソルＣ１を左右に移動させることによって任意の時間に設定される。制御用マイコン１７は、ＯＮ／ＯＦＦ設定項目３１に設定された情報を、メモリ１４の再生時間監視モード設定情報１４ｂとして記憶し、監視時間設定バー３２に設定された時間情報を、監視時間情報１４ｃとして記憶する。
【００２４】
また、本設定画面には、スタンバイ監視モードのＯＮ／ＯＦＦ設定項目４１と、スタンバイ監視モードがオン設定にされた場合の無操作監視時間を設定するための無操作時間設定バー４２とがさらに表示される。無操作時間設定バー４２は、上記監視時間設定バー３２と同様にユーザがカーソルＣ２を左右に移動して任意の時間を設定される。制御用マイコン１７は、ＯＮ／ＯＦＦ設定項目４１に設定された情報を、メモリ１４のスタンバイ監視モード設定情報１４ｄとして記憶し、無操作時間設定バー４２に設定された時間を、無操作監視時間情報１４ｅとして記憶する。
【００２５】
次に、コンテンツデータの再生処理について、図３及び図４を参照して説明する。図３は、コンテンツデータの再生処理の手順を示すフローチャートであり、図４は、警告表示部１７ｄによって表示される警告メッセージ表示の一例を示す。なお、ここでは、予め、再生時間監視モードと、スタンバイ監視モードとがオンに設定されているものとし、監視時間情報１４ｃとして記憶されている監視時間が６０分であり、無操作監視時間情報１４ｅとして記述されている無操作監視時間が１分とする。
【００２６】
まず、制御用マイコン１７は、再生処理部１７ａを用いて、例えばＨＤＤ１５に記録されているコンテンツデータを再生中（Ｓ１）であり、コンテンツデータの再生が終了していない場合（Ｓ２でＮＯ）、コンテンツデータの再生が開始されてから監視時間（ここでは６０分）が経過した時に（Ｓ３でＹＥＳ）、警告表示部１７ｄを用いてＴＶ受像機２のディスプレイ２１に警告メッセージを表示する（Ｓ４）。具体的には例えば図４に示すように、オートパワーオフ、つまりスタンバイモードに移行させるまで１分である旨の警告メッセージをディスプレイ２１に表示させる。
【００２７】
そして、制御用マイコン１７は、監視時間（６０分）が経過した時からさらに無操作監視時間（ここでは１分）が経過するまでの間に、リモコン装置４上のいずれかの操作ボタンが操作され（Ｓ５でＹＥＳ）、その操作が再生を停止する操作である場合（Ｓ１０でＹＥＳ）、コンテンツデータの再生を停止し（Ｓ１１）、ディスプレイ２１条の警告メッセージを消して、再生開始時からの経過時間を０にクリアした上で、スタンバイ監視処理（Ｓ１２）を行う。なお、スタンバイ監視処理の詳細については後述する。また、リモコン装置４を用いた操作が再生を停止する操作ではない場合（Ｓ１０でＮＯ）、ディスプレイ２１上の警告メッセージを消して、再生開始時からの経過時間を０にクリアした上で、上記Ｓ１以降の処理を繰り返す。
【００２８】
一方、制御用マイコン１７は、ユーザによるリモコン装置４の操作ボタンが操作されないと（Ｓ５でＮＯ）、コンテンツデータの再生を停止する（Ｓ６）。
【００２９】
そして、制御用マイコン１７は、レジューム情報生成部１７ｃを用いてこのコンテンツデータの再生停止位置のレジューム情報１４ｆを生成して、メモリ１４に記憶し（Ｓ７）、自装置１をスタンバイモードによる動作に移行させる（Ｓ８）。
【００３０】
上記Ｓ２において、コンテンツデータの再生が終了した場合（Ｓ２でＹＥＳ）、制御用マイコン１７は、スタンバイ監視処理（Ｓ１２）を行う。
【００３１】
次に、上記スタンバイ監視処理の詳細について、図５に示すフローチャートを参照して説明する。制御用マイコン１７は、再生停止から無操作監視時間（例えば１分）が経過するまでの間に、ユーザによるリモコン装置４上の操作ボタンのいずれも操作されない場合（Ｓ２１でＮＯ）、スタンバイモードによる動作に移行させる（Ｓ２２）。一方、リモコン装置４上の操作ボタンのいずれかが操作された場合（Ｓ２１でＹＥＳ）、上記Ｓ２２の処理を行わない。
【００３２】
上述したように、本実施形態に係るハードディスクレコーダ１によれば、コンテンツデータの再生中に、コンテンツデータの再生開始から６０分（監視時間）が経過した時に、制御用マイコン１７は、ＴＶ受像機２のディスプレイ２１に、あと１分でスタンバイモードに移行させる旨の警告メッセージを表示する。また、さらに１分（無操作監視時間）が経過するまでの間に、ユーザによるリモコン装置４の操作ボタンの操作がなされない場合、制御用マイコン１７は、スタンバイモードによる動作に移行させる。そのため、例えば、ユーザがハードディスクレコーダ１の電源をオフにすることを忘れた場合であっても自動的にスタンバイモードに移行するので、ハードディスクレコーダ１の消費電力を抑制することができる。
【００３３】
また、制御用マイコン１７は、レジューム情報１７ｆを生成して、生成されたレジューム情報１７ｆを記憶した後、スタンバイモードによる動作に移行させるので、スタンバイモードからコンテンツの再生を行うモードに復帰した場合に、前回の再生位置からコンテンツデータを再生することができる。従って、ユーザによる使い勝手が良い。また、従来と異なり、ハードディスクレコーダ１の前方に位置するユーザを検出するための装置を備える必要がないため、ハードディスクレコーダ１の製造コストを抑制することができる。
【００３４】
なお、本発明は、上記実施形態の構成に限られず、発明の趣旨を変更しない範囲で種々の変形が可能である。例えば、上記実施形態では、本発明をハードディスクレコーダに適用した場合を示したが、これに限られずＤＶＤプレーヤに適用してもよい。また、図５に示したスタンバイ監視処理は、コンテンツの再生停止や、再生が終了した後に行う場合に限られず、例えば、ハードディスクレコーダ１の電源をオンにした後、無操作時間が経過するまでにリモコン装置４の操作が行われない場合に実行されるものであってもよい。
【符号の説明】
【００３５】
１  ハードディスクレコーダ（再生手段）
４  リモコン装置（操作手段）
１４  メモリ（時間記憶手段）
１７  制御用マイコン（制御手段）
１７ａ  再生処理部（再生手段）
１７ｃ  レジューム情報生成部（レジューム情報生成手段）
１７ｄ  警告表示部（報知手段）
【図１】
2010267343.tif 000003
【図２】
2010267343.tif 000004
【図３】
2010267343.tif 000005
【図４】
2010267343.tif 000006
【図５】
2010267343.tif 000007